(57)【要約】      （修正有）【課題】打撃プレートの厚さを変更することによって好ましい打撃領域を有するゴルフクラブヘッドを提供する。【解決手段】外殻及び打撃プレートを備えるゴルフクラブヘッドにおいて、外殻は開口を有し、打撃プレートは開口に配置される。さらに、打撃プレートは打撃面を有し、ゴルフクラブヘッドの好ましい打撃領域を変更するために、少なくとも１つのキャビティが打撃プレートの打撃面の反対側に形成される。キャビティによって、打撃面上の好ましい打撃領域を変更することができるため、ゴルフクラブヘッドの打撃効果を向上させることができる。【選択図】図２
0003126937.tif 000002
【実用新案登録請求の範囲】
【請求項１】
開口を有する外殻と、
前記開口に配置され、且つ打撃面を有し所定の厚みを有する打撃プレートであって、ゴルフクラブヘッドの好ましい打撃領域を変更するために、前記打撃面の反対側の厚みの中に少なくとも１つのキャビティを設けた、打撃プレートと、
を備える、ゴルフクラブヘッド。
【請求項２】
前記ゴルフクラブヘッドの投影重心は、前記打撃面の幾何学的重心に原点がある２次元座標によって画定される第１象限にあり、前記打撃プレートの、前記２次元座標によって画定される第２象限、第３象限、及び第４象限の少なくとも一部には、前記打撃面の反対側にキャビティを設けた、請求項１に記載のゴルフクラブヘッド。
【請求項３】
前記打撃プレートの、前記キャビティを有する部分の厚さは０．５ｍｍ〜３ｍｍである、請求項１に記載のゴルフクラブヘッド。
【請求項４】
前記打撃プレートのキャビティの輪郭は複数個ある場合規則的（regular：左右対称）である、請求項１に記載のゴルフクラブヘッド。
【考案の詳細な説明】
【技術分野】
【０００１】
本考案は、包括的には、ゴルフクラブヘッドに関する。より詳細には、本考案は、打撃効果を向上させるために、キャビティを有する打撃プレートを備えるゴルフクラブヘッドに関する。
【背景技術】
【０００２】
スポーツの人気はますます高まりつつあり、ゴルフはすでに最も広く楽しまれているスポーツの１つとなっている。さらに、ゴルフを嗜む人の数は急増している。ゴルフでは、目的及びコース地形が様々であることから、ゴルフをするために用いられるゴルフクラブは、ウッドクラブ、アイアンクラブ、及びパター等の種々のタイプに分類される。
【０００３】
ウッドクラブに関しては、ゴルフクラブヘッドは通常、外殻と、ボールを打つための外殻上の打撃プレートとを備える。ゴルフクラブヘッドがゴルフボールを打つとき、打撃プレートは大きな衝撃を受けてゴルフボールに対する反力を生じるため、ゴルフボールは、この反力から伝わる運動エネルギーを得て飛距離を伸ばす。
【０００４】
しかしながら、従来のゴルフクラブの材料の固有の特性又は構造設計により、ゴルフクラブの好ましい打撃領域は制限され、位置がずれている（go aberrant）場合さえある。図１は、好ましい打撃領域の位置ずれが見られる従来の打撃プレートの打撃面を示す。図１に示すように、打撃プレートは２次元座標によって４つの部分に分けられ、２次元座標の原点は打撃面１００の幾何学的中心１００ａにある。２次元座標のＸ軸及びＹ軸は、ゴルフクラブヘッドのヒール１１２とクラウン１１４との間の第１象限１０２、ゴルフクラブヘッドのクラウン１１４とトウ１１６との間の第２象限１０４、ゴルフクラブヘッドのトウ１１６とソール１１８との間の第３象限１０６、及びゴルフクラブヘッドのソール１１８とヒール１１２との間の第４象限１０８を画定する。
【０００５】
打撃面を４つの象限に分けた後で、ゴルフクラブヘッドの重心をこの面に投影すると、この重心は打撃面の第１象限１０２内の１２０に投影位置を有することになる。本明細書では、投影重心１２０は、ゴルフボールが打撃プレートからの衝撃による最大反力を受けるであろう理想的な打撃点（スイートスポット）である。さらに、投影重心１２０付近で反力係数（coefficient of reaction）を記録した場合、反力係数が投影重心１２０から外側に向かって減少することが分かる。概して、ゴルフクラブヘッドの投影重心１２０は、ゴルフクラブヘッドのヒール１１２とクラウン１１４との間の第１象限１０２にある。ゴルフボールが打撃プレートに衝突する場所が投影重心１２０から離れている場合、投影重心１２０に関する分力によって生じるトルクが生成され、ゴルフボールに加わる反力が減少する。
【０００６】
具体的には、図１に示すように、好ましい打撃領域１３０を打撃面１００上に画定することができ、これは、ゴルフボールが打撃プレートに衝突したときに満足できる、より優れた打撃効果を得ることができる領域を指す。しかしながら、投影重心１２０が中心を外れていることから、好ましい打撃領域１３０の大部分はゴルフクラブヘッドのヒール１１２とクラウン１１４との間の第１象限１０２に位置する。換言すれば、打撃面１００の好ましい打撃領域１３０から外れてゴルフボールを打った場合、力のない打撃又は意外な失敗さえも生じる可能性がある。したがって、打撃の許容範囲を拡大するためには、第１象限以外の打撃面の反力を高めなければならない。
【考案の開示】
【考案が解決しようとする課題】
【０００７】
したがって、本考案の目的は、打撃プレートの厚さを変更することによって好ましい打撃領域を有するゴルフクラブヘッドを提供することである。
【０００８】
また、上述の打撃プレートを提供することである。
【課題を解決するための手段】
【０００９】
上述の目的及び他の目的に基づき、本考案は、外殻及び打撃プレートを含むゴルフクラブヘッドを提案する。外殻は開口を有し、打撃プレートは開口に配置される。さらに、打撃プレートは打撃面を有し、ゴルフクラブヘッドの好ましい打撃領域を変更するために、少なくとも１つのキャビティが打撃プレートの打撃面の反対側に形成される。
【００１０】
本考案の一実施形態では、ゴルフクラブヘッドの投影重心は、打撃面の幾何学的中心に原点がある２次元座標によって画定される第１象限にあり、打撃プレートの第２象限、第３象限、及び第４象限の少なくとも一部は、打撃面の反対側にキャビティを有する。
【００１１】
本考案の一実施形態では、打撃プレートのうちキャビティを有する部分の厚さは０．５ｍｍ〜３ｍｍである。
【００１２】
本考案の一実施形態では、キャビティの輪郭は規則的である。
【００１３】
本考案の一実施形態では、キャビティは打撃プレートと一体形成される。この場合、キャビティを有する打撃プレートは、プレス加工、鋳造、又は鍛造によって形成することができる。
【００１４】
本考案の一実施形態では、キャビティは工作物に追加加工を施すことによって形成される。この場合、キャビティはメカニカルミリング又はケミカルミリングによって形成することができる。
【００１５】
上記に基づき、ゴルフクラブヘッドの打撃領域は、打撃プレートの打撃面の反対側に少なくとも１つのキャビティを形成することによって変更することができる。好ましい打撃領域の変更により、ゴルフボールの飛距離を伸ばすとともに打球精度を高めるようにゴルフクラブヘッドの打撃効果を向上させることができる。
【００１６】
添付図面は、本考案をさらに理解させるために含まれており、本明細書の一部に組み込まれるとともに本明細書の一部を構成する。図面は、本考案の実施形態を示し、明細書本文と併せて本考案の原理を説明する役割を果たす。
【考案を実施するための最良の形態】
【００１７】
次に、本考案の目下好ましい実施形態を詳細に参照するが、これら実施形態の例は添付図面に示されている。可能な限り、図面及び明細書本文中で同じ又は同様の部分を指すのに同じ参照符号を用いる。
【００１８】
図２は、本考案のゴルフクラブヘッドを示す３次元分解図である。図２に示すように、ゴルフクラブヘッド２００は、外殻２１０と打撃面３００及びその反対側の裏面４００を有する打撃プレート２２０とを備える、クラブヘッド本体２０２を有する。本実施形態では、外殻２１０及び打撃プレート２２０は、例えば、炭素繊維、又はステンレス鋼若しくは他の金属材料等の典型的な金属材料から作ることができる。さらに、外殻２１０は開口２１０ａを有し、打撃プレート２２０は開口２１０ａに配置される。
【００１９】
本考案は、外殻２１０と打撃プレート２２０との接合に溶接を用いることができる。外殻２１０と打撃プレート２２０とを係合させた後、外殻２１０と打撃プレート２２０とを結合するためにさらに溶接が行われる。
【００２０】
あるいは、外殻２１０はさらに、まず打撃プレート２２０と係合させることができ、次に外殻２１０と打撃プレート２２０との間の接合場所の継ぎ目に接着剤を広げる。接着剤が溶融して接合面に染み込んだ後で、さらに冷却及び固化して、外殻２１０と打撃プレート２２０との間の接合層（図示せず）を形成する。
【００２１】
本考案では、ゴルフクラブヘッド２００の好ましい打撃領域を変更するために、少なくとも１つのキャビティが打撃プレート２２０の打撃面３００の反対側に形成される。図３Ａは、本考案の一実施形態による図２に示す打撃プレート２２０の裏面４００を示す。図３Ｂは、ゴルフクラブヘッド２００の正面図を示す。図３Ａ及び図３Ｂを参照すると、領域３３２は、打撃プレート２２０の元の好ましい打撃領域を指す。裏面４００の元の好ましい打撃領域３３２の２つの相対する側にキャビティ２２２を形成した後、元の好ましい打撃領域３３２は、キャビティ２２２の場所に対応して２つの相対する方向に主に延びるため、新たな好ましい打撃領域３３２ａへと拡大される。
【００２２】
同様に、図４Ａ及び図４Ｂを参照すると、これらは、本考案のさらに別の実施形態によるゴルフクラブヘッド２００の打撃プレート２２０の裏面４００と、ゴルフクラブヘッド２００の正面図とをさらに示す。図４Ａ及び図４Ｂに示すように、４つのキャビティ２２２が裏面４００の元の好ましい打撃領域３３２の周りに形成され、元の好ましい打撃領域３３２は、キャビティ２２２によって好ましい打撃領域３３２ａへと拡大される。
【００２３】
上述の実施形態によれば、打撃プレートの厚さは、打撃プレートの裏面にキャビティを形成することによって薄くなる。概して、打撃プレートの薄い部分は、打撃プレートの他の部分よりも高い反力係数を有する。したがって、ゴルフクラブヘッドの好ましい打撃領域は、打撃プレートの裏面にキャビティを形成することによって拡大することができる。
【００２４】
他の範囲では、本考案は、好ましい打撃領域の位置ずれを解決するために行うこともできる。図５は、本考案のさらに別の実施形態による図２に示す打撃プレート２２０の打撃面３００を示す。図２及び図５を参照すると、打撃プレート２２０は２次元座標によって分けることができ、２次元座標の原点は、打撃面３００の幾何学的中心３００ａにある。打撃面３００上では、ゴルフクラブヘッドのヒール３１２とクラウン３１４との間の第１象限３０２、ゴルフクラブヘッドのクラウン３１４とトウ３１６との間の第２象限３０４、ゴルフクラブヘッドのトウ３１６とソール３１８との間の第３象限３０６、及びゴルフクラブヘッドのソール３１８とヒール３１２との間の第４象限３０８がそれぞれ、２次元座標のＸ軸及びＹ軸によって画定される。
【００２５】
図２及び図５を再び参照すると、打撃面３００上の理想的な打撃点を指すゴルフクラブヘッド２００の投影重心３２０は、ゴルフクラブ（図示せず）を形成するためにロッド(図示せず)と接続するための構造設計及び必要性から、第１象限３０２にある。投影重心３２０に関する分力によって生じるトルクを防止して、打撃面３００の好ましい打撃領域を拡大するために、本考案は、打撃プレート２２０の裏面４００の第２象限３０４、第３象限３０６、及び第４象限３０８それぞれにキャビティ２２２を形成することに留意されたい。
【００２６】
図２及び図５を再び参照すると、領域３３２は、キャビティ２２２の形成前の打撃プレート２２０の元の好ましい打撃領域を指し、キャビティ２２２の形成後に、第２象限３０４、第３象限３０６、及び第４象限３０８に大部分がある新たな領域３３４、３３６、及び３３８が得られる。すなわち、領域３３２、３３４、３３６、及び３３８を含み、且つ打撃面３００の大部分を占めるより大きな好ましい打撃領域が得られることで、ゴルフボールが打撃プレート２００に衝突したときに満足できるより優れた打撃効果が与えられる。したがって、力のない打撃又は意外な失敗さえも効果的に防止することができるため、打撃効果が向上する。
【００２７】
上記の実施形態全てに基づき、打撃プレート２２０のうちキャビティ２２２を有する部分の好ましい厚さは、０．５ｍｍ〜３ｍｍであり、さらに、これらの実施形態では、キャビティ２２２の輪郭は、円形等の規則的なものである。しかしながら、本考案の他の実施形態では、キャビティの輪郭はさらに不規則なものであってもよい。
【００２８】
本考案の範囲又は精神から逸脱せずに、本考案の構造に様々な変更及び変形を加えることができることが、当業者には明らかであろう。例えば、打撃面の特定の領域を改良すること、又はいくつかの特定の設計要件を満たすことに関して、打撃プレートの裏面の任意の特定の場所に１つ又は複数のキャビティを形成することができる。上記に鑑みて、本考案は、実用新案登録請求の範囲及びその均等物の範囲内にある限り、本考案の変更及び変形を包含することが意図される。
【図面の簡単な説明】
【００２９】
【図１】従来の打撃プレートの打撃面を示す図である。
【図２】本考案の一実施形態によるゴルフクラブヘッドを示す３次元分解図である。
【図３Ａ】本考案の一実施形態によるゴルフクラブヘッドの打撃プレートの裏面を示す図である。
【図３Ｂ】本考案の一実施形態によるゴルフクラブヘッドの正面図を示す図である。
【図４Ａ】本考案のさらに別の実施形態によるゴルフクラブヘッドの打撃プレートの裏面を示す図である。
【図４Ｂ】本考案のさらに別の実施形態によるゴルフクラブヘッドの正面図を示す図である。
【図５】本考案のさらに別の実施形態による図２に示す打撃プレートの打撃面を示す図である。
【符号の説明】
【００３０】
２００    ゴルフクラブヘッド
２０２    クラブヘッド本体
２１０    外殻
２１０ａ  開口
２２０    打撃プレート
２２２    キャビティ
３００    打撃面
３３２    元の好ましい打撃領域
３３２ａ  新たな好ましい打撃領域
４００    裏面
【図１】
0003126937.tif 000003
【図２】
0003126937.tif 000004
【図３Ａ】
0003126937.tif 000005
【図３Ｂ】
0003126937.tif 000006
【図４Ａ】
0003126937.tif 000007
【図４Ｂ】
0003126937.tif 000008
【図５】
0003126937.tif 000009
【手続補正書】
【提出日】平成18年9月5日(2006.9.5)
【手続補正２】
【補正対象書類名】実用新案登録請求の範囲
【補正対象項目名】請求項４
【補正方法】変更
【補正の内容】
【請求項４】
前記打撃プレートのキャビティの輪郭は規則的である、請求項１に記載のゴルフクラブヘッド。